(57)【要約】  【課題】  ケースの外面には、内面に凹設又は凸設された模様に対応する微小な凹みの模様が生じ、ホログラムのように機能する電池パック及びケースを提供する。  【解決手段】  ケース１２の内面に文字及び／又は図形に対応する模様が凹設又は凸設されている。凹設されている模様の深さはケース１２の厚さの７０％以下であり、凸設されている模様の高さはケース１２の厚さの７０％以下である。また、ケース１２の外面１２ａには微小な突起及び／又は凹みが形成されている。【選択図】      図１
2007012385.tif 000002
【特許請求の範囲】
【請求項１】
ケースに電池が収容されている電池パックにおいて、
前記ケースの内面に文字及び／又は図形に対応する模様が凹設又は凸設されていることを特徴とする電池パック。
【請求項２】
前記ケースの外面に複数の突起及び／又は凹みが設けられていることを特徴とする請求項１記載の電池パック。
【請求項３】
前記ケースの厚さは２．０ｍｍ以下であることを特徴とする請求項１又は２記載の電池パック。
【請求項４】
前記ケースの内面に凹設された模様の深さ、又は、凸設された模様の高さは、前記ケースの厚さの７０％以下であることを特徴とする請求項１乃至３の何れかに記載の電池パック。
【請求項５】
前記ケースの外面に設けられた突起の高さ及び／又は凹みの深さ並びに幅は３０μｍ以下であることを特徴とする請求項２記載の電池パック。
【請求項６】
前記ケースの色は、Ｌ* ａ* ｂ* 表色系でａ* が２５以下、ｂ* が２５以下、Ｌ* が４０以下の色であることを特徴とする請求項１乃至５の何れかに記載の電池パック。
【請求項７】
内面に文字及び／又は図形に対応する模様が凹設又は凸設されていることを特徴とするケース。
【発明の詳細な説明】
【技術分野】
【０００１】
本発明は、ケースに電池が収容されている電池パック、及び、電池などを収容するケースに関する。
【背景技術】
【０００２】
電池をケースに収容した電池パックにおいては、真贋判定等のため、ケースにホログラムシールが貼着されているものもある。しかし、ホログラムシールの貼着に手間がかかるなどの問題があるため、ケース表面に高低差の異なる微細な凹凸を設け、ホログラムのように模様が浮かび上がるようにした電池が提案されている（特許文献１参照）。
【特許文献１】特開２００４−７１５１３号公報
【発明の開示】
【発明が解決しようとする課題】
【０００３】
しかし、高低差の異なる凹凸をケース表面に形成することは技術的に非常に困難であるという問題がある。さらに、ホログラムシールを貼着する場合は、ホログラムシール自体のコストが高いという問題、及び、貼着の手間が生じて生産性が低下するという問題がある。また、電池パックのケースは合成樹脂製の場合が多く、ホログラムのように模様を浮かび上がらせる意匠（デザイン）にするためには、ホログラムシール又はホログラムを含むラベルを貼着する必要がある。
【０００４】
本発明は斯かる事情に鑑みてなされたものであり、ケースの内面に文字及び／又は図形に対応する模様を凹設又は凸設したことにより、ケースの外面には、内面に凹設又は凸設された模様に対応する微小な凹みの模様が生じ、ホログラムのように機能する電池パック及びケースを提供することを目的とする。
【０００５】
また、本発明は、ケースの外面に複数の突起及び／又は凹みを設けたことにより、内面に凹設又は凸設した模様に対応する外面の微小な凹みの模様が見え易くなる電池パックを提供することを他の目的とする。
【０００６】
また、本発明は、前記ケースの厚さが２．０ｍｍ以下であることにより、サイズ増加を抑制することができる電池パックを提供することを他の目的とする。
【０００７】
また、本発明は、前記ケースの内面に凹設された模様の深さ、又は、凸設された模様の高さが前記ケースの厚さの７０％以下であることにより、模様を凹設した際のケースの強度低下を抑制、又は、模様を凸設した際の電池パックのサイズ増加を抑制できる電池パックを提供することを他の目的とする。
【０００８】
また、本発明は、ケースの外面に設ける突起の高さ及び／又は凹みの深さ並びに幅を３０μｍとしたことにより、内面に凹設又は凸設した模様に対応する外面の微小な凹みの模様が見え易くなる電池パックを提供することを他の目的とする。
【０００９】
また、本発明は、前記ケースの色がＬ* ａ* ｂ* 表色系でａ* は２５以下、ｂ* は２５以下、Ｌ* は４０以下の色であることにより、ケースの内面に凹設又は凸設された模様に対応する外面の微小な凹みの模様が見え易い電池パックを提供することを他の目的とする。
【課題を解決するための手段】
【００１０】
第１発明に係る電池パックは、ケースに電池が収容されている電池パックにおいて、前記ケースの内面に文字及び／又は図形に対応する模様が凹設又は凸設されていることを特徴とする。
【００１１】
第２発明に係る電池パックは、第１発明において、前記ケースの外面に複数の突起及び／又は凹みが設けられていることを特徴とする。
【００１２】
第３発明に係る電池パックは、第１又は第２発明において、前記ケースの厚さは２．０ｍｍ以下であることを特徴とする。
【００１３】
第４発明に係る電池パックは、第１乃至第３発明の何れかにおいて、前記ケースの内面に凹設された模様の深さ、又は、凸設された模様の高さは、前記ケースの厚さの７０％以下であることを特徴とする。
【００１４】
第５発明に係る電池パックは、第２発明において、前記ケースの外面に設けられた突起の高さ及び／又は凹みの深さ並びに幅は３０μｍ以下であることを特徴とする。
【００１５】
第６発明に係る電池パックは、第１乃至第５発明の何れかにおいて、前記ケースの色は、Ｌ* ａ* ｂ* 表色系でａ* が２５以下、ｂ* が２５以下、Ｌ* が４０以下の色であることを特徴とする。
【００１６】
第７発明に係るケースは、内面に文字及び／又は図形に対応する模様が凹設又は凸設されていることを特徴とする。
【００１７】
第１、第７発明においては、ケースの内面に文字及び／又は図形に対応する模様を凹設又は凸設するため、ケースを射出成形によって製造する場合、凹設部分と他の部分との肉厚差によって射出圧力のかかり方に差が生じることにより、又は、凸設部分への樹脂の流れにより、収縮差が生じて凹設部分又は凸設部分の裏側（ケース外面）に微小な凹みが生じる。そのため、ケースの外面には、内面に凹設又は凸設された模様に対応する微小な凹みの模様が生じる。この微小な凹みの模様は、光の反射具合又は見る角度などによって、見え難くなったりより顕著に見えたりし、ホログラムのように機能する。よって、ケースの表面にホログラムのような模様を設けることができ、今までにない意匠（デザイン）の電池パックを提供することができる。なお、ケース内面の模様の凹設又は凸設は容易に行うことができる。また、前記ホログラムのような模様は、簡易的な真贋判定に用いることができる。
【００１８】
第２、第５発明においては、ケースの外面に複数の突起及び／又は凹みを設けたため、ケースの外面での光の乱反射により陰影が生じ、内面に凹設又は凸設した模様に対応する外面の微小な凹みの模様が見え易くなる。ケースの外面に設ける突起及び／又は凹みは、光の乱反射による陰影が前記外面の微小な凹みを際立たせるように、微細な方が好ましく、ケースの外面に設ける突起の高さ及び／又は凹みの深さ並びに幅は３０μｍ以下が好ましい。
【００１９】
第３発明においては、前記ケースの厚さが２．０ｍｍ以下であるため、内面に凹設又は凸設した模様に対応する微小な凹みの模様が外面に現れ易くなり、また、電池パックのサイズ増加を抑制することができる。ケースの厚さが厚すぎる場合は、内面に凹設又は凸設した模様に対応する微小な凹みの模様が外面に現れ難くなり、また電池パックのサイズが増加するため、ケースの厚さは２．０ｍｍ以下が好ましい。
【００２０】
第４発明においては、前記ケースの内面に凹設された模様の深さ、又は、凸設された模様の高さが、前記ケースの厚さの７０％以下であるため、模様を凹設した際のケースの強度低下を抑制でき、また、模様を凸設した際の電池パックのサイズ増加を抑制できる。凹設された模様の深さが深過ぎるとその部分のケース強度が低下するため、凹設された模様の深さはケース厚さの７０％以下が好ましい。また、凸設された模様の高さが高過ぎるとその部分がケース内部の電池と接触するため、凸設された模様の高さはケース厚さの７０％以下が好ましい。
【００２１】
第６発明においては、前記ケースの色がＬ* ａ* ｂ* 表色系でａ* は２５以下、ｂ* は２５以下、Ｌ* は４０以下の色であるため、ケースの内面に凹設又は凸設された模様に対応する外面の微小な凹みの模様が見え易くなる。例えば白又はベージュなどの光をよく反射する白色系の色では微小な凹みの模様が微細な場合は見るのが困難になるが、黒又は濃いグレーなどの黒色系の色では微細な場合であっても見るのは容易である。よって、ケースの色は、Ｌ* ａ* ｂ* 表色系において、ａ* は２５以下、ｂ* は２５以下、Ｌ* は４０以下とすることが好ましい。
【発明の効果】
【００２２】
第１、第７発明によれば、ケースの外面には、内面に凹設又は凸設された模様に対応する微小な凹みの模様が生じ、ホログラムのように機能する。今までにない意匠（デザイン）の電池パックを提供することができる。
【００２３】
第２、第５発明によれば、内面に凹設又は凸設した模様に対応する外面の微小な凹みの模様が見え易くなる。
【００２４】
第３発明によれば、サイズ増加を抑制することができる。ケース内面に凹設又は凸設した模様に対応する微小な凹みの模様が外面に現れ易くなる。
【００２５】
第４発明によれば、模様を凹設した際のケースの強度低下を抑制、又は、模様を凸設した際の電池パックのサイズ増加を抑制できる。
【００２６】
第６発明によれば、ケースの内面に凹設又は凸設された模様に対応する外面の微小な凹みの模様が見え易くなる。
【発明を実施するための最良の形態】
【００２７】
以下、本発明をその実施の形態を示す図面に基づいて具体的に説明する。
図１（ａ）は本発明に係る電池パックの分解斜視図であり、図１（ｂ）は電池パックの斜視図である。電池パックは、電池１０をケース１２，１４に収容したものであり、ケース１２，１４同士は例えば超音波溶着されている。電池１０は、電池本体（セル）と保護回路基板とを備え、ケース１２，１４は平板と該平板を囲む側壁とを備え、側壁同士が溶着されている。
【００２８】
図２はケース１２の内面１２ｂの例を示す平面図であり、図３（ａ）は図１（ａ）のケース１２のＡ−Ａ線切断断面図であり、図３（ｂ）は図３（ａ）の要部拡大図である。図２及び図３（ａ）に示すように、ケース１２の内面１２ｂには、文字及び図形に対応する模様２２が凹設されている。図の例では、「○」の鏡像図形及び「Ａ」「Ｂ」「Ｃ」の鏡像文字が凹設されている。ケース１２の材質としては、ポリカーボネート又はＡＢＳなどの熱可塑性樹脂を用いることが可能である。また、ケース１２の厚さは２ｍｍ以下である。
【００２９】
図３（ａ）に示すような凹部２２ａを有するケース１２を射出成形によって製造する場合、凹部２２ａの有無による肉厚差によって射出圧力のかかり方に差が生じ、凹部２２ａと他の部分とでは成形収縮が微妙に異なる。より詳しくは、凹部２２ａの射出圧力は他の部分よりも小さくなる。そのため、ケース１２の外面１２ａのうち、ケース１２の内面１２ｂの模様２２を構成する凹部２２ａの裏側（外面１２ａ）に微小な凹み２０ａが生じる。すなわち、ケース１２の外面１２ａに、内面１２ｂに凹設された模様２２に対応する微小な凹みの模様２０が生じる。図１の例では、図形「○」、文字「Ａ」「Ｂ」「Ｃ」の微小な凹みの模様２０が外面１２ａに生じている。よって、ケース１２の外面１２ａにおいて、微小な凹み２０ａ部分と他の部分では光の反射具合が異なる。
【００３０】
微小な凹みの模様２０は、光の反射具合又は見る角度などによって、見え難くなったりより顕著に見えたりし、ホログラムのように機能する。よって、今までにない意匠（デザイン）の電池パックを提供することができる。ここで、凹部２２ａの深さは、ケース１２の厚さの７０％以下である。また、微小な凹みの模様２０が見えるためには、ケースの色が重要である。例えば白又はベージュなどの光をよく反射する白色系の色では、模様２０が微細な場合は見るのが困難になるが、黒又は濃いグレーなどの黒色系の色であれば、模様２０が非常に微細であっても見え易くなる。よって、ケース１２の色は、Ｌ* ａ* ｂ* 表色系において、ａ* は２５以下、ｂ* は２５以下、Ｌ* は４０以下にすることが好ましい。
【００３１】
ケース１２の内面１２ｂに模様２２を凹設又は凸設するのは容易であり、ホログラムのように機能する微小な凹みの模様２０を容易に設けることができる。微小な凹みの模様２０は、ホログラムのように機能するので、簡易的な真贋判定に用いることができる。
【００３２】
上述した実施の形態においては、ケース１２の内面１２ｂに文字及び図形に対応する模様２２を凹設したが、図４（ａ）の断面図及び図４（ｂ）の要部拡大図に示すように、模様２２を凸設することも可能である。図４（ａ）の例では、ケース１２の内面１２ｂには、文字及び図形に対応する模様２２が凸設されている。図４（ａ）に示すような凸部２２ｂを有するケース１２を射出成形によって製造する場合、凸部２２ｂへの樹脂の流れによって凸部２２ｂと他の部分とでは成形収縮が微妙に異なり、ケース１２の外面１２ａのうち、内面１２ｂの模様２２を構成する凸部２２ｂの裏側（外面１２ａ）に微小な凹み２０ｂが生じる。すなわち、ケース１２の外面１２ａに、内面１２ｂに凸設された模様２２に対応する微小な凹みの模様２０が生じる。なお、凸部２２ｂの高さはケース１２の厚さの７０％以下である。
【００３３】
また、上述した各実施の形態において、内面１２ｂに模様２２を凹設又は凸設したケース１２の外面１２ａの全体又は模様２０部分に、エッチング又はショットブラスト等を用いて微細な突起及び／又は凹みを形成することも可能である。なお、突起の高さ及び／又は凹みの深さ並びに幅は３０μｍ以下である。ケース１２の外面１２ａに微細な突起及び／又は凹みを形成した場合、外面１２ａでの光の乱反射により陰影が生じ、微小な凹みの模様２０が見え易くなる。
【００３４】
上述した各実施の形態においては、電池を収容するケースを例にして説明したが、本発明に係るケースは、電池に限定はされず、任意のものの収容に用いることが可能である。
【図面の簡単な説明】
【００３５】
【図１】（ａ）は本発明に係る電池パックの分解斜視図であり、（ｂ）は電池パックの斜視図である。
【図２】ケースの内面の例を示す平面図である。
【図３】（ａ）は図１（ａ）のケースのＡ−Ａ線切断断面図であり、（ｂ）は（ａ）の要部拡大図である。
【図４】（ａ）は図１（ａ）のケースのＡ−Ａ線切断断面図の他の例であり、（ｂ）は（ａ）の要部拡大図である。
【符号の説明】
【００３６】
１０  電池
１２、１４  ケース
１２ａ  外面
１２ｂ  内面
２０、２２  模様
２０ａ、２０ｂ  微小な凹み
２２ａ  凹部
２２ｂ  凸部
【図１】
2007012385.tif 000003
【図２】
2007012385.tif 000004
【図３】
2007012385.tif 000005
【図４】
2007012385.tif 000006